(57)【要約】【課題】  真空吸引による液体の吸引移送において、容器の底部への吸い付きを防ぐために、先端部を斜めに切り欠いて形成したノズルでは、残留液が少なくなると、次第に空気を吸い込むようになり、終いには空気のみが吸引されて、液の移送が不可能になってしまうので、残液量が多い。【解決手段】  そこで本発明では、真空吸引パイプ１の先端部２を軸方向に対して直角に形成すると共に、先端部に間隙維持部材３を突設した真空吸引ノズルを提案した。この間隙維持部材は、例えば丸棒を、真空吸引パイプの先端部に井桁形状に溶接して突設した構成とすることができる。他の構成として、真空吸引パイプの先端部を軸方向に対して直角に形成すると共に、先端部に複数の切欠きを形成した真空吸引用ノズルも提案している。【選択図】    図１
2005053521.tif 000002
【特許請求の範囲】
【請求項１】
真空吸引パイプの先端部を軸方向に対して直角に形成すると共に、先端部に間隙維持部材を突設したことを特徴とする液体の真空吸引用ノズル
【請求項２】
間隙維持部材は、丸棒を、真空吸引パイプの先端部に井桁形状に溶接して突設した構成である請求項１に記載の液体の真空吸引用ノズル
【請求項３】
真空吸引パイプの先端部を軸方向に対して直角に形成すると共に、先端部に複数の切欠きを形成したことを特徴とする液体の真空吸引用ノズル
【発明の詳細な説明】
【技術分野】
【０００１】
本発明は、ドラム缶等の容器内の液体を真空吸引して移送する場合に使用する液体の真空吸引ノズルに関するものである。
【背景技術】
【０００２】
図４は、例えば医薬品施設等において、ドラム缶等の容器内の液体を真空吸引して移送するための構成と、その動作を概念的に表した説明図であり、符号ａはドラム缶等の液体容器、ｂはその中の液体、ｃは真空吸引パイプであり、その先端部にノズルｄを構成している。一方、符号ｅは液体を貯留するタンクであり、タンクｅの上側に上記真空吸引パイプの延長部分と、真空ポンプ等の真空吸引装置に至る真空吸引パイプｆを接続している。
【０００３】
このように容器ａ内の液体ｂを移送するに際して、真空吸引パイプｃの先端部、即ち真空吸引ノズルｄを容器ａの底部近くに位置させた場合、ノズルｄの形状が、パイプの先端部を単に軸方向に直角に形成したものでは、ノズルｄが真空吸引の負圧により容器の底部に吸い付き、密着してしまって、液体を吸い込めなくなってしまう。
【０００４】
このような吸い付きを防止するための従来のノズルｄの形状の例として、例えば図５に示すように、真空吸引パイプａの先端部を斜めに切り欠いた（切欠き部ｄ）形状がある。このようなノズルを開示している文献としては、例えば特許文献１が挙げられる。
【特許文献１】特開平８−２７１５３１号公報
【発明の開示】
【発明が解決しようとする課題】
【０００５】
先端部を斜めに切り欠いて形成したノズルでは、容器内の残留液が少なくなって、液位が切欠きの上端よりも下方に至ると、次第に空気を吸い込むようになり、終いには空気のみが吸引されて、液の移送が不可能になってしまうので、残液量が多い。
【０００６】
人手による作業では、可能であればドラム缶等の容器を傾けて、ノズルの位置を調節しながら、残液を吸い出すことで対応していた。
【０００７】
しかしながら容器内への真空吸引ノズルのセット及び真空吸引動作を自動化して行うものでは、人手による上述したような操作を行うことはできない。
【０００８】
本発明は、このような課題を解決することを目的とするものである。
【課題を解決するための手段】
【０００９】
上述した課題を解決するために、本発明では、請求項１において、真空吸引パイプの先端部を軸方向に対して直角に形成すると共に、先端部に間隙維持部材を突設したことを特徴とする液体の真空吸引用ノズルを提案している。
【００１０】
また請求項２では、間隙維持部材は、丸棒を、真空吸引パイプの先端部に井桁形状に溶接して突設した構成とすることを提案している。
【００１１】
また本発明では、請求項３において、真空吸引パイプの先端部を軸方向に対して直角に形成すると共に、先端部に複数の切欠きを形成したことを特徴とする液体の真空吸引用ノズルを提案している。
【発明の効果】
【００１２】
請求項１及び２の発明では、真空吸引動作において、真空吸引パイプの先端部が容器の底部に近接した際、真空吸引の負圧により吸い付けられたとしても、間隙維持部材が底部に当接して、容器の底部と真空吸引パイプの先端部との間に所定の間隙が維持されるので、液体は間隙を通して真空吸引パイプに流入して移送される。
【００１３】
間隙維持部材により維持される間隙は、予め必要最小限に設定することができるので、容器を傾ける等の操作を行わずに残液量を非常に少なくすることができる。
【００１４】
請求項３の発明では、真空吸引動作において、真空吸引パイプの先端部が容器の底部に近接した際、真空吸引の負圧により吸い付けられたとしても、液体は切欠きの部分を経て真空吸引パイプ内に流入して移送される。
【００１５】
切欠きの高さは、予め必要最小限に設定することができるので、この場合も、容器を傾ける等の操作を行わずに残液量を非常に少なくすることができる。
【実施例１】
【００１６】
次に本発明の実施例を添付図面を参照して説明する。
【００１７】
図１は本発明の真空吸引ノズルの第１の実施例を示すもので、（Ｂ）は底面図、（Ａ）、（Ｃ）は、（Ｂ）の夫々Ｘ−Ｘ線、Ｙ−Ｙ線断面図である。
符号１は真空吸引パイプであり、その先端部２を軸方向に対して直角に形成している。符号３は間隙維持部材であり、この間隙維持部材３は平行に配置した一対の第１の丸棒４ａ，４ｂと、第１の丸棒４ａ，４ｂに対して直角で、平行に配置した第２の丸棒５ａ，５ｂを溶接して井桁形状に構成しており、この間隙維持部材３を溶接により真空吸引パイプ１の先端部２に突設している。
【００１８】
尚、この実施例では、（Ｂ）に示すように、間隙維持部材３の井桁形状を構成する一方側の一対の丸棒５ａ，５ｂは先端部２の端面よりも内側に位置しており、これらの第１、第２の丸棒４ａ，４ｂ；５ａ，５ｂが構成する矩形は、真空吸引パイプ１の先端部の内周の内側に構成されている。
【００１９】
図２は図４に示すような構成において、図１に示す真空吸引ノズルを用いてドラム缶等の容器６内の液体７を真空吸引により排出する動作を示す断面図であり、（Ａ），（Ｂ）における真空吸引パイプ１の配置は、夫々図１の（Ａ），（Ｃ）に対応するものである。
図２に示すように、真空吸引動作において、真空吸引パイプ１の先端部２が容器６の底部８に真空吸引の負圧により吸い付けられたとしても、間隙維持部材３、特にこの実施例においては、井桁形状を構成する第１の丸棒４ａ，４ｂが底部８に当接するため、容器６の底部８と真空吸引パイプ１の先端部２との間には、所定の間隙ｇ、この場合、丸棒４ａ，４ｂの直径分の間隙が維持されるので、液体は図２の矢印に示すように、間隙を通して先端部２から真空吸引パイプ１に流入して、真空吸引により移送される。
【００２０】
この実施例においては、上述したとおり、間隙維持部材３の井桁形状を構成する一方側の一対の丸棒５ａ，５ｂは先端部２の端面よりも内側に位置しており、これらの第１、第２の丸棒４ａ，４ｂ；５ａ，５ｂが構成する矩形は、真空吸引パイプ１の先端部の内周の内側に配置されているため、液体７は真空吸引パイプ１の先端部２の全周方向から真空吸引パイプ１内に円滑に流入させることができる。
【００２１】
一方、この実施例において、間隙維持部材３により維持される間隙ｇは、この場合、丸棒４ａ，４ｂの直径であり、これを調節することにより必要最小限に設定することができるので、残液量を非常に少なくすることができる。例えば、残液量は、従来の１０％程度に低減することができる。
【００２２】
以上に説明した実施例では、間隙維持部材３は井桁形状としているが、所定の間隔を維持できる構成であれば、井桁形状以外の形状、例えば複数の平行に配置した丸棒のみにより構成することもできる。この場合も、全ての丸棒を真空吸引パイプ１の先端部の内周の内側に配置することにより、液体７を先端部２の全周側から流入させることができる。
【００２３】
次に図３は本発明の真空吸引ノズルの第２の実施例を示すもので、（Ｂ）は底面図、（Ａ）は、（Ｂ）のＺ−Ｚ線断面図である。
符号１１は真空吸引パイプであり、その先端部１２を軸方向に対して直角に形成している。そして、この先端部２に複数、この場合、直交する４個所に切欠き１３を形成している。
【００２４】
この構成においては、真空吸引動作において、真空吸引パイプ１１の先端部１２が容器（図示省略）の底部に近接した際、真空吸引の負圧により吸い付けられたとしても、液体は切欠き１３の部分を経て真空吸引パイプ１１内に流入させて、移送することができる。
【００２５】
この実施例の場合においては、切欠き１３の高さを調節して、その高さを必要最小限に設定することができるので、残液量を非常に少なくすることができる。
【００２６】
尚、この第２の実施例は、真空吸引パイプ１１がテフロン（登録商標）製のように、間隙維持部材を突設する加工が困難な場合に適しており、切欠き１３は、材質により、現場加工で形成することもできる。
【産業上の利用可能性】
【００２７】
本発明は以上のとおり、容器内の液体の真空吸引動作において、真空吸引パイプの先端部が容器の底部に吸い付けられたとしても、間隙又は切欠きを介しての液体の流入を確保することができ、そして容器を傾ける等の操作を行わずに残液量を非常に少なくすることができる。
【００２８】
そのため人手による作業に適用することができるのは勿論のこと、容器内への真空吸引ノズルのセット及び真空吸引動作を自動化して行うものに適用した場合には、ノズルを容器の底部に当接した状態で使用することができるので、ノズルは、垂直方向に下降させて、当接したことを検出してセットを完了することができ、従って先端の位置を微調整する必要がなくなり、簡易な装置構成が可能となる。
【図面の簡単な説明】
【００２９】
【図１】本発明の真空吸引ノズルの第１の実施例を示すもので、（Ｂ）は底面図、（Ａ）、（Ｃ）は、（Ｂ）の夫々Ｘ−Ｘ線、Ｙ−Ｙ線断面図である。
【図２】図１に示す真空吸引ノズルを用いてドラム缶等の容器内の液体を真空吸引により排出する動作を示す断面図である。
【図３】本発明の真空吸引ノズルの第２の実施例を示すもので、（Ｂ）は底面図、（Ａ）は、（Ｂ）のＺ−Ｚ線断面図である。
【図４】医薬品施設等において、ドラム缶等の容器内の液体を真空吸引して移送するための構成と、その動作を概念的に表した説明図である。
【図５】真空吸引ノズルの従来の例を示す斜視図である。
【符号の説明】
【００３０】
１                    真空吸引パイプ
２                    先端部
３                    間隙維持部材
４ａ，４ｂ            第１の丸棒
５ａ，５ｂ            第２の丸棒
６                    容器
７                    液体
８                    底部
１１                  真空吸引パイプ
１２                  先端部
１３                  切欠き
ｇ                    間隙
【図１】
2005053521.tif 000003
【図２】
2005053521.tif 000004
【図３】
2005053521.tif 000005
【図４】
2005053521.tif 000006
【図５】
2005053521.tif 000007